(57)【要約】【課題】多くの視聴者が集まる会場において行われる実演を支援することが可能な電子機器を提供する。【解決手段】電子機器（３０）は、実演に先立って、音声情報と画像情報との少なくとも一方を入力する入力部（３２）と、前記入力部が入力した情報に基づいて、前記実演の視聴者の着席位置に関する情報を取得する第１情報取得部（３７）と、前記入力部が入力した情報の中から、前記第１情報取得部が取得した情報に基づいて、前記視聴者のうち特定視聴者の前記音声情報と前記画像情報との少なくとも一方を取得する第２情報取得部（３７）と、を備えている。【選択図】図２
2014011489.tif 000002
【特許請求の範囲】
【請求項１】
実演に先立って、音声情報と画像情報との少なくとも一方を入力する入力部と、
前記入力部が入力した情報に基づいて、前記実演の視聴者の着席位置に関する情報を取得する第１情報取得部と、
前記入力部が入力した情報の中から、前記第１情報取得部が取得した情報に基づいて、前記視聴者のうち特定視聴者の前記音声情報と前記画像情報との少なくとも一方を取得する第２情報取得部と、を備えたことを特徴とする電子機器。
【請求項２】
前記第２情報取得部が取得した情報に基づいて、前記実演を行う実演者に情報提供を行う情報提供部を備えたことを特徴とする請求項１記載の電子機器。
【請求項３】
前記実演が行われる位置を検出する位置検出センサを備え、
前記情報提供部は、前記位置検出センサの検出結果に基づいて、前記実演者に情報を提供することを特徴とする請求項２記載の電子機器。
【請求項４】
前記第２情報取得部が取得した情報に基づいて、前記特定視聴者の性別を推定する第１推定部を備えたことを特徴とする請求項１から３のいずれか一項に記載の電子機器。
【請求項５】
前記第２情報取得部が取得した情報に基づいて、前記特定視聴者の年齢層を推定する第２推定部を備えたことを特徴とする請求項１から４のいずれか一項に記載の電子機器。
【請求項６】
前記入力部は、第１の実演後であって、第２の実演に先立って、前記音声情報と前記画像情報との少なくとも一方を入力することを特徴とする請求項１から５のいずれか一項に記載の電子機器。
【発明の詳細な説明】
【技術分野】
【０００１】
本発明は、電子機器に関する。
【背景技術】
【０００２】
従来、プレゼンテーションの視聴者を撮像した撮影画像に基づいて視聴者の反応を検出し、検出された反応に応じてプレゼンテーションの態様を変更するプレゼンテーション装置が提案されている（例えば、特許文献１）。
【先行技術文献】
【特許文献】
【０００３】
【特許文献１】特開２００１−１２８１３４号公報
【発明の概要】
【発明が解決しようとする課題】
【０００４】
しかしながら、従来のプレゼンテーション装置では、多くの視聴者が集まる会場において行われるプレゼンテーションへの利用は想定されていないため、使い勝手が悪いおそれがあった。
【０００５】
そこで、本発明は上記の課題に鑑みてなされたものであり、多くの視聴者が集まる会場において行われる実演を支援することが可能な電子機器を提供することを目的とする。
【課題を解決するための手段】
【０００６】
本発明の電子機器（３０）は、実演に先立って、音声情報と画像情報との少なくとも一方を入力する入力部（３２）と、前記入力部が入力した情報に基づいて、前記実演の視聴者の着席位置に関する情報を取得する第１情報取得部（３７）と、前記入力部が入力した情報の中から、前記第１情報取得部が取得した情報に基づいて、前記視聴者のうち特定視聴者の前記音声情報と前記画像情報との少なくとも一方を取得する第２情報取得部（３７）と、を備えている。
【０００７】
この場合において、前記第２情報取得部が取得した情報に基づいて、前記実演を行う実演者に情報提供を行う情報提供部（３５，３６，３７）を備えていてもよい。また、前記実演が行われる位置を検出する位置検出センサ（３３）を備え、前記情報提供部は、前記位置検出センサの検出結果に基づいて、前記実演者に情報を提供することとしてもよい。
【０００８】
本発明の電子機器は、前記第２情報取得部が取得した情報に基づいて、前記特定視聴者の性別を推定する第１推定部（３７）を備えていてもよい。また、本発明の電子機器は、前記第２情報取得部が取得した情報に基づいて、前記特定視聴者の年齢層を推定する第２推定部（３７）を備えていてもよい。また、本発明の電子機器において、前記入力部は、第１の実演後であって、第２の実演に先立って、前記音声情報と前記画像情報との少なくとも一方を入力することとしてもよい。
【０００９】
なお、本発明をわかりやすく説明するために、上記においては一実施形態を表す図面の符号に対応つけて説明したが、本発明は、これに限定されるものではなく、後述の実施形態の構成を適宜改良しても良く、また、少なくとも一部を他の構成物に代替させても良い。更に、その配置について特に限定のない構成要件は、実施形態で開示した配置に限らず、その機能を達成できる位置に配置することができる。
【発明の効果】
【００１０】
本発明の電子機器は、多くの視聴者が集まる会場において行われる実演を支援することができるという効果を奏する。
【図面の簡単な説明】
【００１１】
【図１】一実施形態に係るプレゼンテーション支援システムの構成を概略的に示す図である。
【図２】プレゼンテーション支援装置のブロック図である。
【図３】メモリが記憶するデータの例を示した図である。
【図４】プレゼンテーション支援システムによる制御の処理の前半部分を示したフローチャートである。
【図５】プレゼンテーション支援システムによる制御の処理の後半部分を示したフローチャートである。
【発明を実施するための形態】
【００１２】
以下、一実施形態に係るプレゼンテーション支援システム１００について、図１〜図５に基づいて詳細に説明する。本実施形態のプレゼンテーション支援システム１００は、プレゼンテーションの実演が行われる前に、プレゼンテーションの視聴者に関する情報を取得し、当該取得した情報に基づき、プレゼンテーションを行う発表者に有益な情報を提供して支援するシステムである。
【００１３】
図１には、本実施形態のプレゼンテーション支援システム１００の構成が概略的に示されている。プレゼンテーション支援システム１００は、プレゼンテーション支援装置１０と、情報提供装置５０とを備える。図１に示すように、プレゼンテーション支援装置１０と情報提供装置５０とは、インターネット等のネットワーク６０に接続されている。なお、ネットワーク６０には、その他のＰＣ７０やスマートフォン８０が接続されていてもよい。
【００１４】
プレゼンテーション支援装置１０は、視聴者を集めてプレゼンテーションを発表する会場において、プレゼンテーションの発表者を支援する装置である。プレゼンテーション支援装置１０は、図１及びプレゼンテーション支援装置１０のブロック図である図２に示すように、撮像装置２０と、情報処理装置３０と、投影装置４０と、を備える。
【００１５】
撮像装置２０は、例えば、デジタルカメラやビデオカメラであり、プレゼンテーションが行われる会場の客席から音声データと画像データとを取得する。撮像装置２０は、図２に示すように、音声入力部２１と、撮像部２２と、通信部２３とを有する。
【００１６】
音声入力部２１は、マイクを含み、会場の客席の音声データを取得する。撮像部２２は、撮影レンズや、ＣＣＤ（Charge Coupled Device）イメージセンサやＣＭＯＳ（Complimentary Metal Oxide Semiconductor）イメージセンサなどの矩形状の撮像素子、及びこの撮像素子を制御する制御回路などを有しており、会場の客席を撮像し、画像データを取得する。通信部２３は、有線、または無線にて情報処理装置３０と通信する。通信部２３としては、Ｂｌｕｅｔｏｏｔｈ（登録商標）による通信を実現するＢｌｕｅｔｏｏｔｈ（登録商標）ユニット、赤外線通信を実現する赤外線通信ユニット等を採用することができる。
【００１７】
なお、本実施形態では、撮像装置２０が会場内に複数設けられているものとする（図２参照）。この場合、客席全体を複数の領域に分割し、それぞれの領域ごとに撮像装置２０を配置し、分割した領域ごとに音声データと画像データとを取得するようにしてもよい。このように、領域ごとに情報を取得する場合、取得した音声データ及び画像データが、会場の客席全体のどの位置のものであるかを把握しやすくなる。
【００１８】
情報処理装置３０としては、例えば、ＰＣ（Personal Computer）、スマートフォン、タブレットＰＣ、ＰＤＡ（Personal Digital Assistant）（登録商標）など種々の情報端末機器を採用することができるが、本実施形態では、一例として、情報処理装置３０がＰＣであるものとして説明する。
【００１９】
情報処理装置３０は、第１通信部３１と、第２通信部３２と、ＧＰＳ（Global Positioning System）モジュール３３と、メモリ３４と、ディスプレイ３５と、出力部３６と、制御部３７と、を有する。
【００２０】
第１通信部３１は、有線又は無線でネットワーク６０に接続し、ネットワーク６０上の情報提供装置５０や他の情報端末（ＰＣ７０やスマートフォン８０など）と通信する。
【００２１】
第２通信部３２は、有線又は無線で撮像装置２０の通信部２３と通信する。情報処理装置３０は、第２通信部３２を介して、撮像装置２０が取得した音声データや画像データを取り込む。
【００２２】
ＧＰＳモジュール３３は、情報処理装置３０の位置（例えば緯度および経度）を検出するセンサである。すなわち、情報処理装置３０がプレゼンテーションの会場に設置されている場合には、ＧＰＳモジュール３３は、プレゼンテーションの会場の位置を検出する。
【００２３】
メモリ３４は、不揮発性のメモリ（フラッシュメモリ）などであり、プレゼンテーションを実施するのに必要なデータのほか、第２通信部３２が撮像装置２０から受信した会場の音声データや画像データ、当該音声データや画像データを解析するためのデータ（テーブル）を格納する。
【００２４】
図３には、メモリ３４が記憶するデータの例が示されている。図３に示すように、本実施形態では、メモリ３４に、予め発表者が作成したプレゼンテーションの投影用原稿Ａ，Ｂ，Ｃ…が格納されている。これら投影用原稿Ａ，Ｂ，Ｃ…は、一例として、同じ題材に関するものであるが、題材に関する視聴者の知識、見解の度合い、視聴者の性別、視聴者の年齢に合わせて、内容の一部または全部が変更されたものであるとする。例えば、ある投影用原稿が、「○○に関する説明資料（初心者用）」であれば、別の投影用原稿は、「○○に関する説明資料（上級者用）」であるものとする。
【００２５】
また、メモリ３４には、図３に示すように、顔データテーブル、周波数テーブル、単語データテーブルが格納されている。顔データテーブルには、人の顔に関する特徴点、例えば、眉、眼、鼻、唇の形状や顔の輪郭に関する特徴点のデータが記憶されている。また、顔データテーブルには、男女それぞれの年代別に、例えば、眉、眼、鼻、唇、輪郭などの特徴点が持つ特徴のデータおよび色彩データが記憶されている。周波数テーブルには、人の音声に含まれる特徴的な周波数（基本周波数）を、性別や年齢ごとに格納するテーブルである。単語データテーブルには、プレゼンテーションが行われる国や地方で用いられる言語の単語が登録されている。また、単語データテーブルには、プレゼンテーションの発表者が予め登録しておいたキーワードが登録されているものとする。なお、キーワードとしては、例えば、プレゼンテーションで用いる資料中の単語などが登録されるものとする。
【００２６】
ディスプレイ３５は、液晶ディスプレイ等であり、発表者がプレゼンテーションの際に、投影用原稿を表示するためのものである。
【００２７】
出力部３６は、投影装置４０に対して、ディスプレイ３５に表示する画面情報と同一の画面情報を出力する。
【００２８】
制御部３７は、ＣＰＵを有し、情報処理装置３０の処理全体を統括的に制御する。本実施形態では、制御部３７は、第２通信部３２を介して取得した画像データに基づき、会場内の座席の中から視聴者が着席した座席位置の情報を取得する（着席位置分析）。また、制御部３７は、画像データと、顔データテーブルとに基づき、会場内の視聴者の年齢層を推定する（年齢層分析）。また、制御部３７は、第２通信部３２を介して取得した音声データと、周波数テーブルとに基づき、音声を発している人の性別を推定する（性別分析）。更に、制御部３７は、音声データと単語データテーブルとに基づき、プレゼンテーションに関連するキーワードを検出する（キーワード分析）。そして、制御部３７は、取得、推定、検出した情報に基づき、プレゼンテーションを支援する情報を発表者に対して提供する。以下、制御部３７が行う各分析の方法について詳細に説明する。
【００２９】
（着席位置分析）
着席位置分析は、会場の各座席が、視聴者が着席した状態か空席の状態かを判別する処理である。着席位置分析では、制御部３７は、撮像装置２０が撮像した会場の客席の画像を取得し、客席のリファレンス画像（開場前に撮像装置２０を用いて会場内を撮像した画像）との比較により、各座席が、視聴者が着席した状態か、空席の状態かを判別する。なお、荷物が置いてある座席についても着席と判定される場合があるので、制御部３７は、顔データテーブルを用いて顔認識を行い、実際に人が座っている座席の位置を特定するようにしてもよい。
【００３０】
また、制御部３７は、着席位置分析において、例えば、会場の客席を複数の領域に分割して、その領域ごとの着席状況（着席率）を取得するものとする。なお、領域は、例えば、前方、後方、上手側、中央、下手側、１階席、２階席などを基準として分割するようにすればよい。また、複数の撮像装置２０の撮像可能領域それぞれを分割した領域それぞれに対応付けるようにしてもよい。なお、制御部３７は、着席状況（着席率）の取得を適時繰り返し、着席状況（着席率）を時刻と関連付けてメモリ３４に記憶する。
【００３１】
（年齢層分析）
年齢層分析は、画像中から人物の顔を検出し、検出した人物の年齢層を推定する処理である。年齢層分析では、制御部３７は、撮像装置２０が撮像した客席の画像と、顔データテーブルと、を用いて人物の顔を検出する。なお、顔の検出方法は、一例として、画像中から特徴点を抽出して顔の領域等を検出する。特徴点としては、眉、眼、鼻、唇の各端点や、顔の輪郭点（例えば頭頂点や顎の下端点）が挙げられる。なお、制御部３７は、検出した顔の画像を、メモリ３４に記憶する。そして、制御部３７は、検出した顔の画像に基づき、人物の年齢層を推定する。この場合、制御部３７は、検出した顔の画像中の各特徴点の特徴や色彩などと、顔データテーブルに予め記憶されている顔の各特徴点の特徴や色彩などとを比較して、人物の年齢層を推定する。制御部３７は、推定結果として、「２０歳代」、「４０歳代」という情報を顔の画像と関連付けてメモリ３４に記憶する。なお、画像データから人物の顔を検出する方法、及び人物の年齢層を推定する方法は、本願出願人が先に出願した特開２０１０−３４６８５号公報にも開示されている。
【００３２】
（性別分析）
性別分析は、撮像装置２０が取得した音声データから音声を発している人物の性別を推定する処理である。この性別分析では、制御部３７は、例えば、音声の基本周波数が１００〜１５０Ｈｚの範囲である場合には音声を発した人物が成人男性であり、音声の基本周波数が２００〜３００Ｈｚの範囲である場合には音声を発した人物が成人女性であり、音声の基本周波数が３５０〜４００Ｈｚの範囲である場合には音声を発した人物が子供であると推定する。なお、音声データから人物の性別を判定する方法は、本願出願人が先に出願した特開２０１１−１３０３１７号公報にも開示されている。制御部３７は、「成人男性」、「成人女性」、「子供」のいずれかと判定された回数を、メモリ３４に保存する。
【００３３】
（キーワード分析）
キーワード分析は、撮像装置２０において取得された音声データの中から、プレゼンテーションの内容に関連するキーワードを検出する処理である。キーワード分析では、制御部３７は、取得した音声データに含まれる単語を検出し、検出した単語が予め発表者により特定されていたキーワードと一致するかを判別する。検出した単語がキーワードであれば、当該キーワードと当該キーワードが発せられた回数とをメモリ３４に保存する。
【００３４】
投影装置４０は、プロジェクタであり、情報処理装置３０の出力部３６から出力された画像の情報を取得し、当該画像をスクリーンへ投影する。投影装置４０は、図２に示すように、投影制御部４１と、投影部４２とを有する。投影制御部４１は、出力部３６と有線又は無線で接続され、情報処理装置３０の出力部３６から取得した画像を投影部４２に投影させる。
【００３５】
投影部４２は、光源、照明光学系、光変調素子、投射光学系等を有する。光源は、例えば光を出射するランプである。照明光学系は、光源から出射された光束を光変調素子に照明する。光変調素子は、例えば液晶パネルであり、スクリーン上に投影する画像を生成する。投射光学系は、光変調素子からの光束をスクリーンに向けて投射する。なお、投射光学系は、投影する像の大きさを調整するズームレンズと、フォーカス位置を調整するフォーカスレンズとを有する。
【００３６】
図１に戻り、情報提供装置５０は、例えば、ウェブサイトを運営するサーバであり、制御部３７からの要求に応じて情報を選択し、提供する。
【００３７】
次に、上記のように構成されるプレゼンテーション支援システム１００の処理（特に制御部３７の処理）について、図４のフローチャートに沿って、詳細に説明する。
【００３８】
図４，５は、制御部３７による処理を示すフローチャートである。図４，５の処理は、プレゼンテーションを行う会場が開場した段階で開始される。なお、発表者等は、制御部３７に対して開場時刻を予め設定しておいてもよいし、開場時刻になった段階で、発表者等が図４，５の処理を開始するための所定のスタートボタンを押すようにしてもよい。なお、プレゼンテーションの会場が会社の会議室や学校の教室などのように小規模である場合には、最初の視聴者が会場に到着したことを撮像装置２０の画像データや音声データから検出できた段階で、図４，５の処理を開始するようにしてもよい。
【００３９】
ステップＳ１では、制御部３７の指示の下、撮像装置２０が、会場内の音声データと画像データとの取得を開始する。撮像装置２０により取得された会場内の音声データと画像データとは、制御部３７に対して送信され、制御部３７によってメモリ３４に記憶される。なお、撮像装置２０によるデータ取得は連続的に行われ、プレゼンテーションが開始するまで、あるいは発表者等により中断されるまで継続する。
【００４０】
次いで、ステップＳ２では、制御部３７が、ＧＰＳモジュール３３を用いて、情報処理装置３０の位置情報を検出する。なお、制御部３７は、検出した位置情報をメモリ３４に記憶する。
【００４１】
次いで、ステップＳ３では、制御部３７が、画像データに基づいて、各座席の着席状態（着席率）を取得する。この場合、制御部３７は、会場内の領域（１階席前方や、２階席後方など）ごとの着席状態の時間遷移を取得し、会場のどの領域から座席が埋まっていったかを確認する。
【００４２】
次いで、ステップＳ４では、制御部３７は、プレゼンテーションの期待度を推定する。制御部３７は、ステップＳ３で取得した座席がどの領域から埋まったのかに基づいて、プレゼンテーションの期待度を推定する。例えば、座席が前方の領域から埋まっていくならば、プレゼンテーションを熱心に聴こうとする視聴者が多いと考えられるので、このような場合には、制御部３７は、プレゼンテーションの期待度が高いと推定する。これに対し、座席が後方の領域から埋まっていくならば、視聴者がプレゼンテーションにあまり期待していないと考えられるので、このような場合には、制御部３７は、プレゼンテーションの期待度が低いと推定する。
【００４３】
次いで、ステップＳ５では、制御部３７は、客席前方を撮像した画像データに基づいて、画像に写った視聴者（客席前方に着席した特定視聴者）の年齢層を推定する。すなわち、制御部３７は、ステップＳ５において、客席前方に着席した熱心な視聴者の年齢層を推定する。この場合、制御部３７は、客席前方を撮像した画像データから人物の顔を検出し、検出した顔の各特徴点の特徴や色彩などと、顔データテーブルに予め記憶されている顔の各特徴点の特徴や色彩などとを比較して、検出した人物の年齢層を推定する。このとき、同じデータについて重複しないように、一度、年齢層を推定した人物の顔データについては、再度取得しないようにする。なお、年齢層を推定する人物は複数であることが好ましいが、複数の視聴者の年齢層を推定できない場合には、１人であっても構わない。
【００４４】
次いで、ステップＳ６では、制御部３７は、客席前方を録音した音声データに基づいて、録音された音声の持ち主（視聴者）の性別の推定及びキーワードの検出を行う。ここでは、制御部３７は、客席前方に座り、プレゼンテーションを熱心に聴こうとする視聴者（特定視聴者）の性別を、音声データに含まれる基本周波数に基づいて推定する。また、制御部３７は、客席前方に座る視聴者の会話中からプレゼンテーションに関連するキーワードを検出する。
【００４５】
次いで、ステップＳ７では、制御部３７は、投影用原稿を選択し、発表者に対して選択した投影用原稿の提案を行う。制御部３７は、ステップＳ２で取得した会場の位置、ステップＳ４で推定したプレゼンテーションの期待度、ステップＳ５で推定した視聴者の年齢層、ステップＳ６で判定した視聴者の性別、ステップＳ６で検出したキーワードの有無に基づいて投影用原稿を選択する。
【００４６】
例えば、会場の位置が日本国内である場合には、制御部３７は、日本語の投影用原稿を選択し、会場の位置がアメリカ合衆国である場合には、英語の投影用原稿を選択する。また、例えば、着席状態の時間遷移から、プレゼンテーションの期待度が高いと判断される場合には、制御部３７は、説明がより詳細な投影用原稿を選択するなどする。また、例えば、視聴者（特定視聴者）の主な年齢層が４０代、５０代である場合には、制御部３７は、年長者が詳しいと思われる事項の説明が少なく、かつ年長者が疎いと思われる事項の説明を増やした投影用原稿を選択するなどする。また、例えば、視聴者（特定視聴者）に含まれる女性の割合が多い場合には、制御部３７は、女性目線で作成された投影用原稿を選択するなどする。また、例えば、プレゼンテーションに関連するキーワードが多数発せられていたような場合には、視聴者（特定視聴者）のプレゼンテーション内容に関する知識が豊富であると推定できるので、制御部３７は、上級者向けの投影用原稿を選択するなどする。反対に、プレゼンテーションに関するキーワードがほとんど検出されない場合には、視聴者がプレゼンテーションの内容には詳しくないと推定できるので、制御部３７は、初心者向けの投影用原稿を選択するなどする。なお、制御部３７は、ここで挙げた投影用原稿を選択する例を組み合わせて原稿を選択することとしてもよい。また、制御部３７は、年齢層や性別等に優先順位をつけて、投影用原稿の選択を行うこととしてもよい。
【００４７】
制御部３７は、選択した投影用原稿をディスプレイ３５上に出力して発表者へ提案する。なお、制御部３７は、複数の投影用原稿を発表者に対して提案することとしてもよい。この場合、発表者は、ディスプレイ３５に提案された投影用原稿のいずれかを選択することになる。なお、複数の投影用原稿と併せて、提案理由（例えば、「女性が多いため」、「４０代が多いため」など）をディスプレイ３５上に表示するようにしてもよい。これにより、発表者は、投影用原稿の選択を簡易かつ適切に行うことが可能となる。
【００４８】
次いで、ステップＳ８では、制御部３７は、ネットワーク６０上（例えば情報提供装置５０）から、話題を取得する。この場合、制御部３７は、取得する話題として、時節の話題や、ステップＳ２で取得した位置情報に基づく会場近隣のニュースや出来事の情報を取得する。また、客席前方に座る視聴者（特定視聴者）に含まれる女性の割合が多い場合には、制御部３７は、多くの女性にとって興味があると考えられる美容やファッションに関する話題を取得してもよい。また、制御部３７は、会場の年齢層に合わせて、流行に関する話題などを取得してもよい。また、取得した会場内の音声データから取得した単語のいずれか（例えば、プレゼンテーションに関するキーワード以外で、頻繁に発せられた単語）を検索ワードとしてネットワーク６０上で検索し、当該単語に関する話題を取得してもよい。
【００４９】
次いで、ステップＳ９では、制御部３７は、提案した投影用原稿が１つの場合には、発表者が提案を受け入れるまで待機し、提案した投影用原稿が複数の場合には、発表者が投影用原稿を選択するまで待機する。提案が受け入れられた場合、又は投影用原稿が選択された場合には、制御部３７は、ステップＳ１０に移行する。なお、発表者は、提案された投影用原稿以外の投影用原稿を選択することもできるので、そのような選択がされた場合にも、ステップＳ１０に移行する。
【００５０】
ステップＳ１０に移行すると、制御部３７は、受け入れられた又は選択された投影用原稿をディスプレイ３５に表示するとともに、投影装置４０に出力する。
【００５１】
次いで、ステップＳ１１では、制御部３７は、プレゼンテーションを実行する。この場合、制御部３７は、発表者がマウスのボタンやキーボードのキーを押すなどすることに応じて、投影用原稿のページ送り等の処理を行う。なお、制御部３７は、プレゼンテーションが開始された段階からプレゼンテーションの終了予定時刻までの残り時間のカウントを開始する。
【００５２】
次いで、ステップＳ１２では、制御部３７は、予定されていたプレゼンテーションの進行スピード（進行度合い）と、現在のプレゼンテーションの進行スピード（進行度合い）とを比較し、プレゼンテーション時間が所定時間以上余るか否かを判断する。ここでの判断が肯定された場合には、ステップＳ１３に移行し、制御部３７は、ステップＳ８で取得した話題の一覧をディスプレイ３５に表示し、発表者に提供する。その後は、ステップＳ１４に移行する。
【００５３】
一方、ステップＳ１２の判断が否定された場合には、ステップＳ１４に移行する。ステップＳ１４では、制御部３７は、プレゼンテーションが終了したか否かを判断する。なお、制御部３７は、プレゼンテーションが終了したか否かの判断を、例えば、投影用原稿の最終ページまで到達したかなどに基づいて行うこととすればよい。このステップＳ１４の判断が否定された場合には、ステップＳ１１に戻り、ステップＳ１１〜Ｓ１４の処理・判断を繰り返す。一方、ステップＳ１４の判断が肯定された場合には、図４，５の全処理が終了する。
【００５４】
以上、詳細に説明したように、本実施形態によると、第２通信部３２が、プレゼンテーションに先立って、撮像装置２０で取得された音声データと画像データとを制御部３７に入力し、制御部３７は、各データに基づいて、プレゼンテーションの視聴者の着席位置に関する情報を取得するとともに、視聴者のうち、プレゼンテーションの会場の客席前方に着席する視聴者（特定視聴者）の音声データと画像データとを取得する。これにより、制御部３７は、客席前方に座る熱心な視聴者の特徴を音声データや画像データから取得できるようになる。また、制御部３７が、会場内の視聴者のうちの熱心な視聴者に関する情報に基づいて、使用する投影用原稿の候補を提案したり、情報を提供したりすることで、発表者は適切な内容のプレゼンテーションを行うことが可能となる。すなわち、本実施形態の情報処理装置３０によれば、多くの視聴者が集まる会場において実施されるプレゼンテーションの発表者を支援することができる。
【００５５】
また、本実施形態の情報処理装置３０では、プレゼンテーションが行われる位置を検出するＧＰＳモジュール３３を備え、制御部３７は、ＧＰＳモジュール３３の検出結果に基づいて、プレゼンテーションの発表者に対して情報を提供する。これにより、制御部３７は、プレゼンテーションが行われる会場の位置に関する話題や会場の位置に適した投影用原稿を提供することができるので、発表者は適切な内容のプレゼンテーションを行うことができる。
【００５６】
また、本実施形態の情報処理装置３０では、第２通信部３２から取得した音声データに基づいて、制御部３７が特定視聴者の性別や年齢層を推定し、当該推定結果に基づいて、発表者に投影用原稿を提供する。これにより、発表者は、熱心な視聴者の性別、年齢層に適したプレゼンテーションを実行することが可能となる。
【００５７】
なお、上記実施形態では、制御部３７は、画像データに基づき、例えば、資料に見入っている視聴者（特定視聴者）を検出し、当該特定視聴者の性別等に基づいて、投影用原稿を発表者に対して提案するようにしてもよい。
【００５８】
また、上記実施形態では、ステップＳ８で取得した話題をプレゼンテーション中に提供する（Ｓ１３）場合について説明したが、これに限られるものではない。例えば、プレゼンテーションの前に話題を提供するようにしてもよく、この場合には、発表者は、プレゼンテーションの導入部分において当該話題を用いることが可能となる。
【００５９】
なお、プレゼンテーションの合間に休憩時間が設けられる場合には、制御部３７は、休憩時間に上述した図４のステップＳ１〜Ｓ８の処理を行うこととしてもよい。この場合、制御部３７は、休憩時間中の会話から、休憩時間前の内容の理解度がわかるので、当該理解度に応じて、休憩時間後の投影用原稿のレベルを上げる又は下げるようにしてもよい。
【００６０】
なお、上記実施形態では、制御部３７は、性別分析の処理を音声データの基本周波数に基づいて行うこととしたが、これに限らず、性別分析の処理を画像データに基づいて行うこととしてもよい。
【００６１】
なお、上記実施形態では、画像データを用いた処理を制御部３７が行う場合について説明したが、これに限らず、撮像装置２０が有する画像処理装置等が行うこととしてもよい。この場合、情報処理装置３０は、画像データのうち、検出した顔に関する情報のみを受け取ることとしてもよい。
【００６２】
なお、上記実施形態で説明した、着席位置分析、年齢層分析、性別分析、キーワード分析、投影用原稿の選択及び提供、並びに話題の提供に関する処理は、情報処理装置３０とネットワークを介して接続されたサーバ（クラウド）で行うこととしてもよい。この場合、図３の各データやテーブルは、サーバ（クラウド）が有していてもよい。このようにすることで、情報処理装置３０における処理負荷を軽減するとともに、処理能力の大きなサーバで情報を処理するので、投影用原稿の提案及び話題の収集を迅速に実行することができる。また、情報処理装置３０として、処理能力の低いモバイル端末等を用いることができるので、発表者の会場への機材搬入等の負担を軽減することができる。
【００６３】
なお、上記実施形態では、撮像装置２０を会場内に複数設ける場合について説明したが、これに限らず、撮像装置２０を会場内に１台のみ設け、当該撮像装置２０により会場全体を撮像するようにしてもよい。
【００６４】
なお、上記実施形態のプレゼンテーション支援システムは、プレゼンテーション（発表）以外の実演に転用することができる。例えば、歌手や演奏家の演奏や、映像の上映など、観客を集めて行われる実演の支援に利用することが可能である。演奏を行う場合、制御部３７は、演奏開始前に取得した観客（前方の客席に着席している特定の観客）の年齢層、性別、音声から観客の好みの曲想や曲調を割り出し、演奏曲を提案することとしてもよい。この場合、歌手や演奏家等は、予め、年齢、性別及びキーワードから、曲想や曲調、演奏曲が導き出されるように設定しておけばよい。
【００６５】
上述した実施形態は本発明の好適な実施の例である。但し、これに限定されるものではなく、本発明の要旨を逸脱しない範囲内において種々変形実施可能である。
【符号の説明】
【００６６】
１０  プレゼンテーション支援装置
２０  撮像装置
３０  情報処理装置
３２  第２通信部
３３  ＧＰＳモジュール
３４  メモリ
４０  投影装置
５０  情報提供装置
６０  ネットワーク
１００  プレゼンテーション支援システム
【図１】
2014011489.tif 000003
【図２】
2014011489.tif 000004
【図３】
2014011489.tif 000005
【図４】
2014011489.tif 000006
【図５】
2014011489.tif 000007